(57)【要約】  改善された出力特性を有する太陽電池モジュールを提供する。  太陽電池モジュール１は、光電変換部２３と、第１及び第２の電極２１，２２とを有する太陽電池２０と、配線材３２ａとを備えている。配線材３２ａは、樹脂フィルム５１と、樹脂フィルム５１の上に配されている配線５２とを有する。配線材３２ａは、第１の部分３２ａ１と、第２の部分３２ａ２と、屈曲部３２ａ３とを有する。第１の部分３２ａ１は、配線５２が太陽電池２０側を向くように配されている。第１の部分３２ａ１は、太陽電池２０に接着されている。第２の部分３２ａ２は、配線５２が太陽電池２０とは反対側を向くように配されている。屈曲部３２ａ３は、第１の部分３２ａ１と第２の部分３２ａ２とを接続している。屈曲部３２ａ３は、太陽電池２０の上に配されている。
2013046773.tif 000002
【特許請求の範囲】
【請求項１】
第１及び第２の主面を有する光電変換部と、第２の主面の上に配されている第１及び第２の電極とを有する太陽電池と、
樹脂フィルムと、前記樹脂フィルムの上に配されており、前記第１または第２の電極に電気的に接続されている配線とを有する配線材と、
を備え、
前記配線材は、
前記配線が前記太陽電池側を向くように配されており、前記太陽電池に接着されている第１の部分と、
前記配線が前記太陽電池とは反対側を向くように配されている第２の部分と、
前記第１の部分と前記第２の部分とを接続している屈曲部と、
を有し、
前記屈曲部は、前記太陽電池の上に配されている、太陽電池モジュール。
【請求項２】
請求項１に記載の太陽電池モジュールであって、
前記第２の部分において前記配線に電気的に接続されている金属箔をさらに備え、
前記配線は、前記太陽電池の一の方向における一の端部の前記一の方向に対して垂直な他の方向おける一方側端部から他方側端部に至るように配されており、
前記金属箔は、前記配線材の前記他の方向における一部分に接着されている、太陽電池モジュール。
【請求項３】
請求項２に記載の太陽電池モジュールであって、
前記金属箔は、前記配線よりも厚い、太陽電池モジュール。
【請求項４】
請求項２または３に記載の太陽電池モジュールであって、
前記金属箔は前記太陽電池モジュールの外部に引き出されている、太陽電池モジュール。
【請求項５】
請求項２または３に記載の太陽電池モジュールであって、
前記配線材が電気的に接続された太陽電池を複数備え、
前記金属箔は、前記配線材同士を接続している、太陽電池モジュール。
【請求項６】
請求項１〜５のいずれか一項に記載の太陽電池モジュールであって、
前記太陽電池の前記第１の主面側に配されている第１の保護部材と、
前記太陽電池の前記第２の主面側に配されており、可撓性を有する第２の保護部材と、
前記第１の保護部材と前記第２の保護部材との間に設けられており、前記太陽電池を封止している封止材層と、
をさらに備える、太陽電池モジュール。
【請求項７】
請求項６に記載の太陽電池モジュールであって、
前記封止材層は、非架橋性の樹脂を含む、太陽電池モジュール。
【請求項８】
請求項１〜７のいずれか一項に記載の太陽電池モジュールであって、
前記屈曲部において、前記配線に開口が設けられている、太陽電池モジュール。
【請求項９】
請求項８に記載の太陽電池モジュールであって、
前記開口が複数設けられている、太陽電池モジュール。
【請求項１０】
請求項９に記載の太陽電池モジュールであって、
前記第１及び第２の電極のそれぞれは、相互に間隔をおいて配された複数のフィンガー部を備え、
前記配線は、
前記開口が設けられた配線本体と、
前記配線本体に接続されており、前記フィンガー部に電気的に接続された複数の線状部と、
を有し、
前記開口の間隔が前記線状部の幅よりも大きい、太陽電池モジュール。
【発明の詳細な説明】
【技術分野】
【０００１】
本発明は太陽電池モジュールに関する。
【背景技術】
【０００２】
従来、改善された光電変換効率を有する太陽電池モジュールとして、裏面接合型の太陽電池を有する太陽電池モジュールが知られている。例えば特許文献１には、その一例が記載されている。特許文献１に記載の太陽電池モジュールは、裏面接合型の複数の太陽電池と、表面に配線が配されている配線基板とを有する。複数の太陽電池は、裏面側が配線基板側を向くように配線基板の上に一の方向に沿って設置され、配線基板に電気的に接続されている。配線基板は、太陽電池モジュールが設けられた領域の外側において、太陽電池とは反対側に折り曲げられている。
【先行技術文献】
【特許文献】
【０００３】
【特許文献１】特開２００９−４３８４２号公報
【発明の概要】
【発明が解決しようとする課題】
【０００４】
近年、太陽電池モジュールの出力特性をさらに改善したいという要望が高まってきている。
【課題を解決するための手段】
【０００５】
本発明に係る太陽電池モジュールは、太陽電池と、配線材とを備えている。太陽電池は、光電変換部と、第１及び第２の電極とを有する。光電変換部は、第１及び第２の主面とを有する。第１及び第２の電極は、第２の主面の上に配されている。配線材は、樹脂フィルムと、配線とを有する。配線は、樹脂フィルムの上に配されている。配線は、第１または第２の電極に電気的に接続されている。配線材は、第１の部分と、第２の部分と、屈曲部とを有する。第１の部分は、配線が太陽電池側を向くように配されている。第１の部分は、太陽電池に接着されている。第２の部分は、配線が太陽電池とは反対側を向くように配されている。屈曲部は、第１の部分と第２の部分とを接続している。屈曲部は、太陽電池の上に配されている。
【発明の効果】
【０００６】
本発明によれば、改善された出力特性を有する太陽電池モジュールを提供することができる。
【図面の簡単な説明】
【０００７】
【図１】図１は、本発明の一実施形態に係る太陽電池モジュールの略図的裏面図である。
【図２】図２は、図１の線ＩＩ−ＩＩ部分の略図的断面図である。
【図３】図３は、本発明の一実施形態における太陽電池の略図的裏面図である。
【図４】図４は、図２のＩＶ部分の太陽電池ストリングの略図的断面図である。
【図５】図５は、図２のＶ部分の太陽電池ストリングの略図的断面図である。
【図６】図６は、変形例における配線材３２の展開図である。
【発明を実施するための形態】
【０００８】
以下、本発明を実施した好ましい形態の一例について説明する。但し、下記の実施形態は、単なる例示である。本発明は、下記の実施形態に何ら限定されない。
【０００９】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１０】
図１及び図２に示されるように、太陽電池モジュール１は、それぞれ複数の太陽電池２０を有する複数の太陽電池ストリング１０を備えている。具体的には、太陽電池モジュール１は、第１〜第６の太陽電池ストリング１０ａ〜１０ｆを備えている。図２に示されるように、複数の太陽電池ストリング１０は、第１の保護部材１１と、第２の保護部材１２との間に配されている。第１の保護部材１１は、太陽電池２０の受光面２０ａ側に位置している。第２の保護部材１２は、太陽電池２０の裏面２０ｂ側に位置している。第２の保護部材１２は、可撓性を有する。第１の保護部材１１と第２の保護部材１２との間には封止材層１３が設けられている。この封止材層１３により複数の太陽電池２０が封止されて
いる。
【００１１】
第１の保護部材１１は、例えば、ガラス基板、樹脂基板等の透光性を有する部材により構成することができる。第２の保護部材１２は、例えば、樹脂シート、金属箔を介在させた樹脂シート等の可撓性を有する部材により構成することができる。封止材層１３は、例えば、エチレン・酢酸ビニル共重合体（ＥＶＡ）、ポリビニルブチラール（ＰＶＢ）、ポリエチレン（ＰＥ）、ポリウレタン（ＰＵ）などの樹脂により構成することができる。封止材層１３は、非架橋性樹脂を含むことが好ましい。
【００１２】
複数の太陽電池ストリング１０のそれぞれは、ｘ軸方向に沿って配された複数の太陽電池２０を有する。図１及び図３に示されるように、太陽電池２０は、光電変換部２３と、第１及び第２の電極２１，２２とを有する。
【００１３】
光電変換部２３は、第１及び第２の主面２３ａ、２３ｂを有する。光電変換部２３の第１の主面２３ａが太陽電池２０の受光面２０ａを構成しており、第２の主面２３ｂが太陽電池２０の裏面２０ｂを構成している。
【００１４】
光電変換部２３は、受光した際に正孔や電子などのキャリアを生成させる部材である。光電変換部２３は、第１の主面２３ａにおいて受光したときのみキャリアを生成させるものであってもよいし、第１の主面２３ａにおいて受光したときのみならず、第２の主面２３ｂにおいて受光したときにもキャリアを発生させるものであってもよい。即ち、太陽電池２０は、両面受光型の太陽電池であってもよい。
【００１５】
なお、光電変換部２３の種類は特に限定されない。光電変換部２３は、例えば、結晶シリコン基板等を用いて構成することができる。
【００１６】
光電変換部２３の第２の主面２３ｂの上には、正孔及び電子の一方を収集する第１の電極２１と、正孔及び電子の他方を収集する第２の電極２２とが配されている。従って、太陽電池２０は、裏面接合型の太陽電池である。
【００１７】
第１及び第２の電極２１，２２のそれぞれの形状は特に限定されない。本実施形態では、第１及び第２の電極２１，２２のそれぞれは、くし歯状の形状を有する。第１の電極２１と第２の電極２２とは、互いに間挿し合うように配されている。具体的には、第１及び第２の電極２１，２２のそれぞれは、複数のフィンガー部２１ａ、２２ａと、バスバー部２１ｂ、２２ｂとを有する。複数のフィンガー部２１ａ、２２ａのそれぞれは、ｘ軸方向に沿って延びている。複数のフィンガー部２１ａ、２２ａは、ｘ軸方向に対して垂直なｙ軸方向に沿って相互に間隔をおいて配されている。
【００１８】
複数のフィンガー部２１ａは、バスバー部２１ｂに電気的に接続されている。バスバー部２１ｂは、複数のフィンガー部２１ａのｘ軸方向における一方側（ｘ１側）に配されている。バスバー部２１ｂは、太陽電池２０のｘ軸方向におけるｘ１側端部において、ｙ軸方向の一方側端部から他方側端部にわたって設けられている。
【００１９】
同様に、複数のフィンガー部２２ａは、バスバー部２２ｂに電気的に接続されている。バスバー部２２ｂは、複数のフィンガー部２２ａのｘ軸方向における他方側（ｘ２側）に配されている。バスバー部２２ｂは、太陽電池２０のｘ軸方向におけるｘ２側端部において、ｙ軸方向の一方側端部から他方側端部にわたって設けられている。
【００２０】
図１に示されるように、複数の太陽電池ストリング１０のそれぞれにおいて、複数の太陽電池２０は、第１の配線材３１によって電気的に接続されている。具体的には、ｘ軸方向において隣接する太陽電池２０の一方の太陽電池２０の第１の電極２１と他方の太陽電池の第２の電極２２とが第１の配線材３１によって電気的に接続されている。
【００２１】
第１の配線材３１は、例えば、Ａｇ、Ｃｕ等の金属箔、金属箔の積層体、表面が半田等で覆われた金属箔、絶縁性フィルム及び絶縁性フィルム上に配された配線とを有するフレキシブルプリント基板（ＦＰＣ：Ｆｌｅｘｉｂｌｅ  Ｐｒｉｎｔｅｄ  Ｃｉｒｃｕｉｔ）などにより構成することができる。
【００２２】
第１の配線材３１と太陽電池２０の裏面２０ｂとは、図示しない接着層によって接着されている。接着層は、例えば、樹脂接着剤の硬化物、導電材が分散混入している樹脂接着剤の硬化物、半田等により構成することができる。
【００２３】
第１〜第６の太陽電池ストリング１０ａ〜１０ｆは、第２の配線材３２により電気的に接続されている。具体的には、第１の太陽電池ストリング１０ａの最もｘ２側に位置している太陽電池２０Ａと第２の太陽電池ストリング１０ｂの最もｘ２側に位置している太陽電池２０Ｂと、第３の太陽電池ストリング１０ｃの最もｘ２側に位置している太陽電池２０Ｃと第４の太陽電池ストリング１０ｄの最もｘ２側に位置している太陽電池２０Ｄと、及び第５の太陽電池ストリング１０ｅの最もｘ２側に位置している太陽電池２０Ｅと第６の太陽電池ストリング１０ｆの最もｘ２側に位置している太陽電池２０Ｆとは、それぞれ、第２の配線材３２によって電気的に接続されている。第２の配線材３２は、太陽電池２０Ａ，２０Ｃ，２０Ｅの第１の電極２１と、太陽電池２０Ｂ，２０Ｄ，２０Ｆの第２の電極２２とを電気的に接続している。
【００２４】
また、第２の太陽電池ストリング１０ｂの最もｘ１側に位置している太陽電池２０Ｈと第３の太陽電池ストリング１０ｃの最もｘ１側に位置している太陽電池２０Ｉと、及び第４の太陽電池ストリング１０ｄの最もｘ１側に位置している太陽電池２０Ｊと第５の太陽電池ストリング１０ｅの最もｘ１側に位置している太陽電池２０Ｋとも、それぞれ、第２の配線材３２によって電気的に接続されている。第２の配線材３２は、太陽電池２０Ｈ，２０Ｊの第１の電極２１と、太陽電池２０Ｉ，２０Ｋの第２の電極２２とを電気的に接続している。
【００２５】
太陽電池２０Ｈ，２０Ｉに電気的に接続された第２の配線材３２と、太陽電池２０Ｊ，２０Ｋに電気的に接続された第２の配線材３２とのそれぞれの一部は、第１の引き出し電極４１を構成している。図２に示されるように、第１の引き出し電極４１は、太陽電池モジュール１の外部に引き出されている。具体的には、第１の引き出し電極４１の先端部は、第２の保護部材１２の外側に至っている。
【００２６】
第２の配線材３２は、２つの配線材３２ａと、配線材３２ｂとを有する。２つの配線材３２ａのそれぞれは、接着層４０により太陽電池２０に接着されており、第１または第２の電極２１，２２に電気的に接続されている。配線材３２ｂは、２つの配線材３２ａを電気的に接続している。配線材３２ａは、太陽電池２０の一の方向（ｘ軸方向）における一の端部の、一の方向（ｘ軸方向）に対して垂直な他の方向（ｙ軸方向）のｙ１側端部からｙ２側端部に至るように配されている。
【００２７】
図４に示されるように、配線材３２ａは、樹脂フィルム５１と、配線５２とを有するフレキシブルプリント基板により構成されている。樹脂フィルム５１は、例えば、ポリイミド（ＰＩ）や、ポリエチレンテレフタレート（ＰＥＴ）などの樹脂により構成することができる。配線５２は、樹脂フィルム５１の上に配されている。配線５２は、第１または第２の電極２１，２２と電気的に接続されている。配線５２は、例えば、ＣｕやＡｇなどの少なくとも一種の金属からなる金属箔により構成することができる。
【００２８】
配線材３２ａは、第１の部分３２ａ１と、第２の部分３２ａ２と、屈曲部３２ａ３とを有する。第１の部分３２ａ１は、配線材３２ａの一方側部分により構成されている。第１の部分３２ａ１は、配線５２が太陽電池２０側を向くように配されている。第１の部分３２ａ１は、太陽電池２０の裏面２０ｂに接着されている。
【００２９】
第２の部分３２ａ２は、配線材３２ａの他方側部分により構成されている。第２の部分３２ａ２は、配線５２が太陽電池２０とは反対側を向くように配されている。第２の部分３２ａ２の少なくとも一部は、第１の部分３２ａ１の上に配されている。即ち、第２の部分３２ａ２の少なくとも一部は、第１の部分３２ａ１と太陽電池２０の厚み方向であるｚ軸方向において重なっている。
【００３０】
屈曲部３２ａ３は、第１の部分３２ａ１と第２の部分３２ａ２とを接続している。屈曲部３２ａ３は、屈曲構造を有する。屈曲部３２ａ３では、配線５２が外側を向いている。屈曲部３２ａ３は、太陽電池２０の裏面２０ｂの上に配されている。即ち、屈曲部３２ａ３は、太陽電池２０とｚ軸方向において重なっている。屈曲部３２ａ３は、平板状の配線材が折り曲げられることにより形成された部分である。
【００３１】
配線材３２ｂは、第２の部分３２ａ２において配線材３２ａの配線５２に電気的に接続されている。配線材３２ｂは、樹脂接着剤を用いて配線材３２ａに接着されていてもよいが、本実施形態では半田により配線材３２ａに接着されると共に配線材３２ａの配線５２に電気的に接続されている。配線材３２ｂは、配線材３２ａの他の方向（ｙ軸方向）における一部分に接着されている。配線材３２ａのｙ軸方向における長さに対する、配線材３２ａの配線材３２ｂが接着された部分のｙ軸方向における長さの比（（配線材３２ａの配線材３２ｂが接着された部分のｙ軸方向における長さ）／（配線材３２ａのｙ軸方向における長さ））は、１／２０〜１であることが好ましく、１／２０〜１／２であることがより好ましい。
【００３２】
なお、配線材３２ｂの一部は、引き出し電極４１を構成しており、太陽電池モジュール１外に引き出されている。
【００３３】
本実施形態において、配線材３２ｂは、ＣｕやＡｇなどの少なくとも一種の金属からなる金属箔により構成されている。配線材３２ｂの厚みは、配線５２の厚みよりも大きい。配線材３２ｂの厚みは、配線５２の厚みの２倍以上であることが好ましく、５倍以上であることがより好ましい。
【００３４】
第１の太陽電池ストリング１０ａの最もｘ１側に位置している太陽電池２０Ｇの第２の電極２２と、第６の太陽電池ストリング１０ｆの最もｘ１側に位置している太陽電池２０Ｌの第１の電極２１とのそれぞれには、第３の配線材３３が電気的に接続されている。太陽電池２０Ｇ，２０Ｌと第３の配線材３３とは接着層４０により接着されている。
【００３５】
第３の配線材３３は、配線材３２ａと、配線材３３ｂとを有する。第３の配線材３３の一部を構成している配線材３２ａは、第２の配線材３２の一部を構成している配線材３２ａと実質的に同様の構成を有する。第３の配線材３３の一部を構成している配線材３２ａは、太陽電池２０Ｇの第２の電極２２及び太陽電池２０Ｌの第１の電極２１に接着され、電気的に接続されている。
【００３６】
配線材３３ｂは、第３の配線材３３の一部を構成している配線材３２ａに電気的に接続されている。配線材３３ｂの一部は、引き出し電極４２を構成しており、太陽電池モジュール１外に引き出されている。
【００３７】
配線材３３ｂは、第３の配線材３３の一部を構成している配線材３２ａの第２の部分３２ａ２において配線５２に電気的に接続されている。配線材３３ｂは、樹脂接着剤を用いて配線材３２ａに接着されていてもよいが、本実施形態では半田により配線材３２ａに接着されると共に配線材３２ａの配線５２に電気的に接続されている。配線材３３ｂは、配線材３２ａの他の方向（ｙ軸方向）における一部分に接着されている。
【００３８】
本実施形態において、配線材３３ｂは、ＣｕやＡｇなどの少なくとも一種の金属からなる金属箔により構成されている。配線材３３ｂの厚みは、配線５２の厚みよりも大きい。配線材３３ｂの厚みは、配線５２の厚みの２倍以上であることが好ましく、５倍以上であることがより好ましい。
【００３９】
金属箔により構成されている配線材３２ｂ、３３ｂと太陽電池２０の裏面２０ｂとの間には、絶縁性シート６０が配されている。これにより、配線材３２ｂ、３３ｂと電極２１，２２との短絡を抑制することができる。なお、絶縁性シート６０は、例えば、樹脂フィルム５１として用いられるＰＩや、ＰＥＴなどの樹脂の他、封止材層１３として用いられるＥＶＡ、ＰＶＢ、ＰＥ、ＰＵなどの樹脂などにより構成することができる。
【００４０】
以上説明したように、本実施形態では、屈曲部３２ａ３が太陽電池２０の上に配されている。このため、例えば、第１及び第２の保護部材１１，１２並びに封止材層１３により複数の太陽電池２０をラミネートする際や、太陽電池モジュール１が高温になり、非架橋性樹脂を含む封止材層１３の粘度が低下し、屈曲部３２ａ３が太陽電池２０側に押圧された場合であっても、配線５２の屈曲部３２ａ３に位置する部分が光電変換部２３の辺２３ｃに接触しにくい。よって、配線５２の屈曲部３２ａ３に位置する部分と光電変換部２３との間に短絡が生じることを効果的に抑制することができる。従って、改善された光電変
換効率及び改善された信頼性を実現することができる。
【００４１】
また、屈曲部３２ａ３を太陽電池２０の上に配することにより、配線材３２ａを小型化することができる。従って、太陽電池モジュール１の製造コストを低く抑えることができる。
【００４２】
また、屈曲部３２ａ３を太陽電池２０の上に配することにより、太陽電池モジュール１を小型化することができる。
【００４３】
本実施形態では、配線材３２，３３が、配線材３２ａと、金属箔からなる配線材３２ｂまたは配線材３３ｂとにより構成されている。このようにすることにより、複数種類の配線材３２，３３が存在する場合であっても、各配線材３２，３３において、樹脂フィルム５１及び配線５２を有する配線材３２ａの仕様を共通化することができる。
【００４４】
本実施形態では、金属箔からなる配線材３２ｂ、３３ｂが、配線材３２ａのｙ軸方向における一部分に接着されている。このため、太陽電池モジュール１の温度が上昇し、配線材３２ｂ、３３ｂが太陽電池２０に対して相対的に大きく膨張した場合であっても、配線材３２ｂ、３３ｂ及び太陽電池２０に応力が加わり難い。従って、配線材３２ｂ、３３ｂの破損や、太陽電池２０の反り、破損を抑制することができる。なお、配線材３２ａは、柔らかい樹脂フィルム５１を基体するものであるため、配線材３２ａと太陽電池２０との間には、熱膨張に起因して大きな応力が生じ難い。
【００４５】
なお、接続時には、太陽電池２０上に耐熱シートを配置した後、耐熱シート上で配線材３２ｂ、３３ｂに配線材３２ａをはんだ付けすることにより、配線材３２ｂ、３３ｂと配線材３２ａとを固定することが好ましい。これにより、太陽電池２０にはんだ付けによる熱が加わり、不具合が生じる問題を抑制することができる。配線材３２ｂ、３３ｂと太陽電池２０の裏面２０ｂとの間に配された絶縁シート６０に耐熱性を持たせても良いが、この場合、絶縁シート６０の厚さを薄くすることができない。したがって、モジュール化した時に厚みが厚い場所に力が集中し、太陽電池２０が割れる恐れがある。従って、別体の耐熱シートを用いることが好ましい。
【００４６】
本発明はここでは記載していない様々な実施形態を含む。例えば、第１及び第２の電極は、バスバー部を有さず、複数のフィンガー部により構成されているバスバーレスの電極であってもよい。
【００４７】
太陽電池モジュールは、ひとつの太陽電池のみを備えていてもよい。
【００４８】
以上のように、本発明はここでは記載していない様々な実施形態を含む。従って、本発明の技術的範囲は上記の説明から妥当な特許請求の範囲に係る発明特定事項によってのみ定められるものである。
【００４９】
（変形例）
図６は、変形例における配線材３２の展開図である。図６に示されるように、配線５１は、配線本体５１ａと、複数の線状部５１ｂとを有する。配線本体５１ａは、配線材３２のうち、少なくとも第２の部分３２ａ２及び屈曲部３２ａ３に設けられている。複数の線状部５１ｂは、配線本体５１ａに接続されている。複数の線状部５１ｂは、ｙ方向において相互に間隔をおいて配されている。線状部５１ｂは、フィンガー部２１ａまたはフィンガー部２２ａに電気的に接続されている。
【００５０】
配線材３２の屈曲部３２ａ３において、配線５１に開口５１ｃが複数設けられている。開口５１ｃは、屈曲部３２ａ３の延びる方向であるｙ方向に沿って配されている。このため、屈曲部３２ａ３の柔軟性が向上されている。よって、例えば平板状の部材を屈曲させて配線材３２を形成する場合に、平板状の部材の屈曲が容易となる。よって、配線材３２の作製が容易となる。また、平板状の部材を屈曲させて配線材３２を作製する際に、また温度サイクルにさらされて屈曲した部分にたび重なる応力が加わった際に、配線３２が断線しにくい。開口５１ｃが配線本体５１ａに設けられており、配線材本体５１ａが設けられた部分が屈曲部３２ａ３とされるため、配線３２の断線がより効果的に抑制されている。特に、開口５１ｃの間隔Ｐ１が、線状部５１ｂの幅Ｐ２よりも大きいため、配線３２の断線がさらに効果的に抑制されている。開口５１ｃの間隔Ｐ１は、線状部５１ｂの幅Ｐ２の１倍より大きいことが好ましく、１．５倍以上であることがより好ましい。さらには、配線３２の断線を防止する観点から、開口５１ｃの幅Ｐ３を開口５１ｃの間隔Ｐ１よりも小さくすることがより好ましい。
【００５１】
なお、本変形例では、開口５１ｃは、折り曲げ易さと断線の抑制の観点から面取りされた矩形形状とした。しかし、開口の形状は特に限定されない。開口の形状は、例えば、楕円形、長円形、矩形、多角形などであってもよい。開口は、屈曲部３２ａ３の延びる方向に沿って延びる細長形状を有していてもよい。また、開口５１ｃは、ひとつのみ設けられていてもよい。
【符号の説明】
【００５２】
１…太陽電池モジュール
１０，１０ａ〜１０ｆ…太陽電池ストリング
１１…第１の保護部材
１２…第２の保護部材
１３…封止材層
２０，２０Ａ〜２０Ｌ…太陽電池
２０ａ…受光面
２０ｂ…裏面
２１…第１の電極
２２…第２の電極
２３…光電変換部
３１〜３３，３２ａ、３２ｂ、３３ｂ…配線材
３２ａ１…第１の部分
３２ａ２…第２の部分
３２ａ３…屈曲部
５１…樹脂フィルム
５２…配線
６０…絶縁性シート
【図１】
2013046773.tif 000003
【図２】
2013046773.tif 000004
【図３】
2013046773.tif 000005
【図４】
2013046773.tif 000006
【図５】
2013046773.tif 000007
【図６】
2013046773.tif 000008
【国際調査報告】
2013046773.tif 000009
2013046773.tif 000010
2013046773.tif 000011
2013046773.tif 000012